(57)【特許請求の範囲】
【請求項１】
開口部近傍の前面フィルムと後面フィルムそれぞれの対向する内側にオス側咬合い部を有するオス側帯状嵌合部を有するチャック部と、そのオス側咬合い部に咬合い可能な一対のメス側咬合い部を有するメス側帯状嵌合部を有するチャック部とを設け、チャック部同士の接離により開口部を開閉自在に構成したチャック付き包装袋であって、
前記チャック部は前面フィルムと後面フィルムそれぞれの内側でその短手方向に一定間隔だけ離れ、かつ、各チャック部を構成する前記オス側帯状嵌合部または前記メス側帯状嵌合部を挟むように接着され、その短手方向に一定間隔だけ離れた接着箇所の間は前面フィルムと後面フィルムそれぞれの内側との間に隙間が形成されており、チャック部と前面フィルムの内側の隙間とチャック部と後面フィルムの内側の隙間とのうち少なくとも一方の隙間に形状保持部材が挿入されており、前記隙間に挿入された前記形状保持部材と対向するチャック部の側面の反対側の側面には、前記形状保持部材の長手方向の左右両端部の間、当該形状保持部材に少なくとも一列以上の前記オス側帯状嵌合部または前記メス側帯状嵌合部が位置して重なるように構成されていることを特徴とするチャック付き包装袋。
【請求項２】
請求項１に記載のチャック付き包装袋において、
前面フィルムと後面フィルムの対向する内側に設けられた各チャック部は、それぞれ、オス側咬合い部を有するオス側帯状嵌合部と、オス側咬合い部に咬合い可能な一対のメス側咬合い部を有するメス側帯状嵌合部とを一定間隔を離して交互に設け、
前面フィルム側チャック部と後面フィルム側のチャック部とは、それぞれ対向する前記オス側帯状嵌合部のオス側咬合い部と前記メス側帯状嵌合部のメス側咬合い部とが咬合うように構成されていることを特徴とするチャック付き包装袋。
【請求項３】
請求項１に記載のチャック付き包装袋において、
前面フィルムと後面フィルムの対向する内側に設けられた各チャック部は、それぞれ、オス側咬合い部を有するオス側帯状嵌合部を複数列、またはそのオス側咬合い部に咬合い可能な一対のメス側咬合い部を有するメス側帯状嵌合部を、複数列一定間隔離して設け、
前面フィルム側チャック部と後面フィルム側のチャック部とは、それぞれ対向する前記オス側帯状嵌合部のオス側咬合い部と前記メス側帯状嵌合部のメス側咬合い部とが咬合うように構成されていることを特徴とするチャック付き包装袋。
【請求項４】
請求項１〜請求項３のいずれか一の請求項に記載のチャック付き包装袋において、
少なくとも前記形状保持部材が挿入される側の前記チャック部には、その長手方向に所定間隔でその長手方向と直交する方向に複数の切れ目が設けられていることを特徴とするチャック付き包装袋。
【請求項５】
請求項１〜請求項３のいずれか一の請求項に記載のチャック付き包装袋において、
少なくとも前記形状保持部材が挿入される側の前記チャック部には、その長手方向に所定間隔でその長手方向と直交する方向に複数の切欠部が設けられていることを特徴とするチャック付き包装袋。
【請求項６】
請求項１に記載のチャック付き包装袋において、
前記チャック部は、オス側係合部とメス側係合部が複数設けられた面ファスナーであることを特徴とするチャック付き包装袋。
【請求項７】
請求項１〜請求項６のいずれか一の請求項に記載のチャック付き包装袋において、
前記形状保持部材は、
その長手方向に強度が弱くなる強度弱部分を１または複数個所設けたことを特徴とするチャック付き包装袋。
【発明の詳細な説明】
【技術分野】
【０００１】
本発明は、開口部近傍の前面フィルムと後面フィルムそれぞれの対向する内側にチャック部を設け、チャック部同士の接離により開口部を開閉自在に構成したチャック付き包装袋に関し、特に、形状保持部材を付加して形状保持機能を高めたチャック付き包装袋に関する。
【背景技術】
【０００２】
従来より、開口部近傍の前面フィルムと後面フィルムそれぞれの対向する内側にチャック部を設け、チャック部同士の接離により開口部を開閉自在に構成したチャック付き包装袋が提案されている（例えば、特許文献１参照。）。
【０００３】
このチャック付き包装袋のチャック部は、オス側咬合い部を有するオス側帯状嵌合部を設けたオス側チャックテープと、オス側咬合い部に咬合い可能な一対のメス側咬合い部を有するメス側帯状嵌合部を有するメス側チャックテープとから構成される。
【０００４】
また、チャック付き包装袋ではないが、内容物が取り出し易くなるように、前面フィルムまたは後面フィルムの一方に形状保持性プラスチック線材を熱融着した包装袋が提案されている（例えば、特許文献２参照。）。
【先行技術文献】
【特許文献】
【０００５】
【特許文献１】特開２０１１−２００５０７号公報
【特許文献２】特開２０１２−２５４５３号公報
【発明の概要】
【発明が解決しようとする課題】
【０００６】
しかしながら、前述の特許文献１のチャック付き包装袋では、形状保持部材が設けられていない一方、前述の特許文献２の包装袋では、形状保持部材を熱溶着により前面フィルムおよび後面フィルムに設けていたため、コストがかかるという問題があった。
【０００７】
特に、形状保持部材は一般的に袋内面に使用するフィルムよりも融点が高く、形状保持部材をフィルムに熱溶着する際に、融点が低いフィルム側がシワになり易いという問題があった。
【０００８】
また、形状保持部材をフィルムに接着する際に、接着剤や粘着剤を使用することも考えられるが、接着剤や粘着剤が形状保持部材の端面からはみ出して、内容物と接触すると、内容物が食品の場合、衛生上の問題が発生する。
【０００９】
そこで、本発明はこのような問題に着目してなされたもので、熱溶着や接着剤、粘着剤を使用せずに、チャック付き包装袋に形状保持部材を設けることができるチャック付き包装袋を提供することを目的とする。
【課題を解決するための手段】
【００１０】
上記課題を解決するため、本発明に係るチャック付き包装袋は、本発明に係るチャック付き包装袋は、開口部近傍の前面フィルムと後面フィルムそれぞれの対向する内側にオス側咬合い部を有するオス側帯状嵌合部を有するチャック部と、そのオス側咬合い部に咬合い可能な一対のメス側咬合い部を有するメス側帯状嵌合部を有するチャック部とを設け、チャック部同士の接離により開口部を開閉自在に構成したチャック付き包装袋であって、前記チャック部は前面フィルムと後面フィルムそれぞれの内側でその短手方向に一定間隔だけ離れ、かつ、各チャック部を構成する前記オス側帯状嵌合部または前記メス側帯状嵌合部を挟むように接着され、その短手方向に一定間隔だけ離れた接着箇所の間は前面フィルムと後面フィルムそれぞれの内側との間に隙間が形成されており、チャック部と前面フィルムの内側の隙間とチャック部と後面フィルムの内側の隙間とのうち少なくとも一方の隙間に形状保持部材が挿入されており、前記隙間に挿入された前記形状保持部材と対向するチャック部の側面の反対側の側面には、前記形状保持部材の長手方向の左右両端部の間、当該形状保持部材に少なくとも一列以上の前記オス側帯状嵌合部または前記メス側帯状嵌合部が位置して重なるように構成されていることを特徴とする。
ここで、前面フィルムと後面フィルムの対向する内側に設けられた各チャック部は、それぞれ、オス側咬合い部を有するオス側帯状嵌合部と、オス側咬合い部に咬合い可能な一対のメス側咬合い部を有するメス側帯状嵌合部とを一定間隔を離して交互に設け、前面フィルム側チャック部と後面フィルム側のチャック部とは、それぞれ対向する前記オス側帯状嵌合部のオス側咬合い部と前記メス側帯状嵌合部のメス側咬合い部とが咬合うように構成されていると良い。
また、前面フィルムと後面フィルムの対向する内側に設けられた各チャック部は、それぞれ、オス側咬合い部を有するオス側帯状嵌合部を複数列、またはそのオス側咬合い部に咬合い可能な一対のメス側咬合い部を有するメス側帯状嵌合部を、複数列一定間隔離して設け、前面フィルム側チャック部と後面フィルム側のチャック部とは、それぞれ対向する前記オス側帯状嵌合部のオス側咬合い部と前記メス側帯状嵌合部のメス側咬合い部とが咬合うように構成されていると良い。
また、少なくとも前記形状保持部材が挿入される側の前記チャック部には、その長手方向に所定間隔でその長手方向と直交する方向に複数の切れ目が設けられているとさらに良い。
また、少なくとも前記形状保持部材が挿入される側の前記チャック部には、その長手方向に所定間隔でその長手方向と直交する方向に複数の切欠部が設けられていても良い。
また、前記チャック部は、オス側係合部とメス側係合部が複数設けられた面ファスナーでも良い。
また、前記形状保持部材は、その長手方向に強度が弱くなる強度弱部分を１または複数個所設けるとさらに良い。
【発明の効果】
【００１１】
本発明のチャック付き包装袋は、前面フィルムと後面フィルム側のチャック部は、その短手方向に一定間隔だけ離れた２箇所でそれぞれ各フィルムの内側に熱溶着等により接着され、その２箇所の接着箇所間に形成されたチャック部裏側とフィルム内側との間の隙間に形状保持部材を挿入するようにしたため、熱溶着や接着剤、粘着剤を使用せずに、チャック付き包装袋に形状保持部材を設けることができる。
【図面の簡単な説明】
【００１２】
【図１】本発明に係る実施例のチャック付き包装袋の外観を示す正面図である。
【図２】（ａ），（ｂ）それぞれ実施例１（トリプルチャックで形状保持部材が両面）のチャック付き包装袋のチャック部近傍の構造を示す部分切欠拡大正面図である。
【図３】図２（ａ）におけるＡ−Ａ線断面図である。
【図４】表面フィルム内側のチャック部を拡大して示す平面図である。
【図５】（ａ），（ｂ）それぞれ図４におけるＢ−Ｂ線断面図、Ｃ−Ｃ線断面図である。
【図６】裏面フィルム内側のチャック部を拡大して示す平面図である。
【図７】（ａ），（ｂ）それぞれ図６におけるＤ−Ｄ線断面図、Ｅ−Ｅ線断面図である。
【図８】実施例１のチャック付き包装袋のチャック部を閉めた状態を示す拡大断面正面図である。
【図９】実施例１のチャック付き包装袋のチャック部を開けて開口部を広げた状態を示す平面図である。
【図１０】（ａ），（ｂ）それぞれ図９におけるＦ部分、Ｇ部分の拡大部分断面図である。
【図１１】実施例２（トリプルチャックで形状保持部材が片面）のチャック付き包装袋のチャック部を閉めた状態を示す拡大断面正面図である。
【図１２】実施例３（ダブルチャックで形状保持部材が両面）のチャック付き包装袋によるチャック部を閉めた状態を示す拡大断面正面図である。
【図１３】実施例３（ダブルチャックで形状保持部材が片面）のチャック付き包装袋によるチャック部を閉めた状態を示す拡大断面正面図である。
【図１４】実施例４（トリプルチャックで形状保持部材が両面）のチャック付き包装袋によるチャック部を閉めた状態を示す拡大断面正面図である。
【図１５】実施例４（トリプルチャックで形状保持部材が片面）のチャック付き包装袋によるチャック部を閉めた状態を示す拡大断面正面図である。
【図１６】実施例４（ダブルチャックで形状保持部材が両面）のチャック付き包装袋によるチャック部を閉めた状態を示す拡大断面正面図である。
【図１７】実施例４（ダブルチャックで形状保持部材が片面）のチャック付き包装袋によるチャック部を閉めた状態を示す拡大断面正面図である。
【図１８】（ａ）〜（ｃ）それぞれ前面フィルムおよび後面フィルムのチャック部の切れ目の例を示す図である。
【図１９】（ａ），（ｂ）それぞれチャック付き包装袋を開けた際に形状保部材において大きく曲がる箇所の一例を示す図である。
【図２０】（ａ）〜（ｅ）それぞれ実施例６のチャック付き包装袋における形状保持部材の一例を示す図である。
【発明を実施するための形態】
【００１３】
以下、本発明にかかるチャック付き包装袋の実施例１〜５について、図面を参照して説明する。尚、以下に説明する実施例１〜５は、あくまで本発明の一例であり、本発明にかかるチャック付き包装袋は、本発明の技術的思想の範囲内で適宜変更可能である。
【００１４】
［実施例１（トリプルチャックで形状保持部材が両面）］
実施例１のチャック付き包装袋１は、図１に示すように、開口部１１近傍の前面フィルム１ａと後面フィルム１ｂそれぞれの対向する内側にチャック部１ｃ，１ｄを設け、チャック部１ｃ，１ｄ同士の接離により開口部１１を開閉自在に構成したものである。なお、前面フィルム１ａと後面フィルム１ｂは、その左右両端部１２，１２と下端部１３において熱溶着（ヒートシール）等によって溶着され、上端部のみ溶着せずに開口部１１を形成している。
【００１５】
前面フィルム１ａに設けられたチャック部１ｃと、後面フィルム１ｂに設けられたチャック部１ｄは、チャック部１ｃ，１ｄ同士が嵌合することにより接離、すなわち接合および離脱して、チャック部１ｃ，１ｄ同士が嵌合した場合には、チャック付き包装袋１内部を密封できるように構成されている。
【００１６】
つまり、前面フィルム１ａに設けられたチャック部１ｃは、図３〜図７に示すようにその短手方向、すなわち上下方向に、オス側咬合い部１ｃ１１を有するオス側帯状嵌合部１ｃ１と、後面フィルム１ｂのチャック部１ｂ１側のオス側咬合い部１ｄ１１に咬合い可能な一対のメス側咬合い部１ｃ２１，１ｃ２２を有するメス側帯状嵌合部１ｃ２とを一定間隔だけ離して交互に設けて構成されている。尚、この実施例１では、オス側帯状嵌合部１ｃ１を２列と、その２列のオス側帯状嵌合部１ｃの間に１列のメス側帯状嵌合部１ｃ２を設けている。
【００１７】
また、後面フィルム１ｂのチャック部１ｂ１は、図３〜図７に示すようにその短手方向、すなわち上下方向に、前面フィルム１ａのチャック部１ｃに接離できるように、前面フィルム１ａのチャック部１ｃのメス側帯状嵌合部１ｃ２に咬み合い可能なオス側咬合い部１ｄ１１を有するオス側帯状嵌合部１ｄ１と、前面フィルム１ａのチャック部１ｃのオス側帯状嵌合部１ｃ１咬み合い可能な一対のメス側咬合い部１ｄ２１，１ｄ２２を有するメス側帯状嵌合部１ｄ２とを一定間隔だけ離して交互に設けている。なお、この実施例１では、メス側帯状嵌合部１ｄ２を２列と、その２列のメス側帯状嵌合部１ｄ２の間に１列のオス側帯状嵌合部１ｄ１を設けている。
【００１８】
そのため、前面フィルム１ａ側のチャック部１ｃと後面フィルム１ｂ側のチャック部１ｂ１とを嵌合させたり、引き離すと、それぞれ対向する前面フィルム１ａ側のオス側帯状嵌合部１ｃ１およびメス側帯状嵌合部１ｃ２と、後面フィルム１ｂ側のメス側帯状嵌合部１ｄ２およびオス側帯状嵌合部１ｄ１が、図８に示すように咬み合ったり、図３に示すように離脱して、繰り返し接離、すなわち開閉して、このチャック付き包装袋１を開封したり、密閉することができる。
【００１９】
ここで、チャック部１ｃ，１ｄは、図２および図３に示すように、それぞれ前面フィルム１ａまたは後面フィルム１ｂそれぞれの内側に、その短手方向、すなわち図２および図３において上下方向で一定間隔だけ離れた２箇所１ａ１，１ａ２、１ｂ１，１ｂ２で熱溶着等により接着されている。
【００２０】
そのため、前面フィルム１ａでは、上下２箇所の接着箇所１ａ１，１ａ２間の前面フィルム１ａとチャック部１ｃとの間に隙間１ｅが形成される一方、後面フィルム１ｂでは、上下２箇所の接着箇所１ｂ１，１ｂ２間の後面フィルム１ｂとチャック部１ｄとの間に隙間１ｆが形成される。
【００２１】
そして、本実施例のチャック付き包装袋１では、図３等に示すように、前面フィルム１ａ側の隙間１ｅおよび後面フィルム１ｂ側の隙間１ｆの双方にそれぞれ上下方向の幅が小さく細くかつ厚さが薄い長尺の形状保持材１ｇ，１ｈをそれぞれ挿入している。
【００２２】
ここで、形状保持材１ｇ，１ｈの材質は、チャック部１ｃ，１ｄのよりも剛性が大きく、チャック部１ｃ，１ｄと共に曲げられた場合に、チャック部１ｃ，１ｄの戻ろうとする復元力に対抗して開口部１１の形状をある程度保持可能なもので、プラスチック製でも紙製でも何でも良いが、例えば、ポリエチレン樹脂等の軽量で安価なプラスチック等が望ましい。より具体的には、例えば、上述の特許文献２（特開２０１２−２５４５３号公報）に記載された形状上保持材と同様に、高度に延伸した高密度ポリエチレン樹脂（ＨＤＰＥ）である、三井化学社製延伸ＨＤＰＥ（商品名）テクノロートや積水成形工業社製（商品名）フォルテなどのプラスチック線材等が使用できる。
【００２３】
そのため、このチャック付き包装袋１から内容物（図示せず。）を取出す場合に、後述する図９に示すように、チャック部１ｃ，１ｄを大きく折り曲げた場合には、形状保持部材１ｇ，１ｈがその折り曲げ形状を保持するので、チャック付き包装袋１の開口部１１を押えておく必要がなくなり、内容物（図示せず。）を簡単に取出すことができる。
【００２４】
また、実施例１のチャック付き包装袋１では、図４〜図７等に示すように、前面フィルム１ａのチャック部１ｃのオス側帯状嵌合部１ｃ１およびメス側帯状嵌合部１ｃ２と、後面フィルム１ｂのチャック部１ｄのメス側帯状嵌合部１ｄ２およびオス側帯状嵌合部１ｄ１に、それぞれ、その長手方向に所定間隔で切れ目１ｃ３，１ｄ３を設けている。
【００２５】
そのため、図９に示すように、チャック部１ｃ，１ｄを大きく折り曲げ、形状保持部材１ｇ，１ｈでその折り曲げ形状を保持しようとした場合でも、前面フィルム１ａのチャック部１ｃのオス側帯状嵌合部１ｃ１およびメス側帯状嵌合部１ｃ２の複数の切れ目１ｃ３と、後面フィルム１ｂのチャック部１ｄのメス側帯状嵌合部１ｄ２およびオス側帯状嵌合部１ｄ１の複数の切れ目１ｄ３で無理無く曲がるので、チャック部１ｃ，１ｄが変形することを極力防止できる。
【００２６】
その結果、実施例１のチャック付き包装袋１によれば、チャック部１ｃ，１ｄを大きく折り曲げ、形状保持部材１ｇ，１ｈでその折り曲げ形状を保持しようとした場合でも、その折り曲げ部分でチャック部１ｃ，１ｄが変形することがなくなるので、チャック部１ｃ，１ｄのチャック機能を劣化させることを防止することができる。ただし、チャック部１ｃ，１ｄの材質によっては、切れ目１ｃ３，１ｄ３を設けなくても嵌合不良にならないので、切れ目１ｃ３，１ｄ３は省略しても良い。
【００２７】
以上説明したように、実施例１のチャック付き包装袋１によれば、前面フィルム１ａと後面フィルム１ｂそれぞれの内側に設けたチャック部１ｃ，１ｄとの間に形成された隙間１ｅ，１ｆに形状保持部材１ｇ，１ｈを挿入して構成するため、熱溶着や接着剤、粘着剤を使用せずに、チャック付き包装袋１に形状保持部材１ｇ，１ｈを設けることができる。
【００２８】
その結果、上述の特許文献２に記載の形状保持包装袋とは異なり、接着剤や粘着剤を使用しないので、接着剤や粘着剤が形状保持部材１ｇ，１ｈの端面からはみ出して内容物と接触することがなくなり、内容物が食品でも安心して包装できると共に、接着剤や粘着剤を使用しない分だけコスト面においても有利である。
【００２９】
また、実施例１のチャック付き包装袋１では、前面フィルム１ａや後面フィルム１ｂに対し形状保持部材１ｇ，１ｈを熱溶着により接着しないので、前面フィルム１ａや後面フィルム１ｂよりも一般的に融点が高い形状保持部材を熱溶着する際に、前面フィルム１ａや後面フィルム１ｂが溶解してシワになることもなくなり、形状保持部材１ｇ，１ｈを設けた場合でも仕上がりや外観を向上させることができる。
【００３０】
さらに、実施例１のチャック付き包装袋１では、一番の反発物であるチャック部１ｃ，１ｄの真裏の隙間１ｅ，１ｆという最も近い位置で形状保持部材１ｇ，１ｈがチャック部１ｃ，１ｄの復元力に対向して開いた状態を保持するため、チャック部１ｃ，１ｄから上下方向に離れた位置に形状保持部材１ｇ，１ｈを配置する場合よりも、開口部１１の形状保持効果を期待することができる。
【００３１】
また、通常、チャック付き包装袋における嵌合不良はメス側帯状嵌合部が折れて変形することにより発生する場合が多いが、実施例１のチャック付き包装袋１では、前面フィルム１ａのチャック部１ｃおよび後面フィルム１ｂのチャック部１ｂ１の双方に、オス側帯状嵌合部とメス側帯状嵌合部とを一定間隔だけ離して交互に設けて構成したため、前面フィルム１ａのチャック部１ｃおよび後面フィルム１ｂのチャック部１ｂ１の双方にオス側帯状嵌合部およびメス側帯状嵌合部が設けられることになり、嵌合不良が発生することを極力防止できる。
【００３２】
また、実施例１のチャック付き包装袋１では、チャック部１ｃのオス側帯状嵌合部１ｃ１およびメス側帯状嵌合部１ｃ２と、チャック部１ｄのメス側帯状嵌合部１ｄ２およびオス側帯状嵌合部１ｄ１に、それぞれ、その長手方向に所定間隔で切れ目１ｃ３，１ｄ３を設けたため、チャック部１ｃ，１ｄを急な角度で折り曲げた際の変形を緩和させることができ、チャック機能の劣化を極力防止することができる。
【００３３】
そのため、図９に示すように、チャック部１ｃ，１ｄを大きく折り曲げ、形状保持部材１ｇ，１ｈでその折り曲げ形状を保持しようとした場合でも、前面フィルム１ａのチャック部１ｃのオス側帯状嵌合部１ｃ１およびメス側帯状嵌合部１ｃ２の複数の切れ目１ｃ３と、後面フィルム１ｂのチャック部１ｄのメス側帯状嵌合部１ｄ２およびオス側帯状嵌合部１ｄ１の複数の切れ目１ｄ３で無理無く曲がるので、チャック部１ｃ，１ｄが変形することを極力防止できる。
【００３４】
その結果、本実施例のチャック付き包装袋１によれば、形状保持部材１ｇ，１ｈを設けた側のチャック部１ｃ，１ｄを大きく折り曲げ、形状保持部材１ｇ，１ｈでその折り曲げ形状を保持しようとした場合でも、その折り曲げ部分でチャック部１ｃ，１ｄが変形することがなくなるので、チャック部１ｃ，１ｄのチャック機能を劣化させることを防止することができる。
【００３５】
［実施例２（トリプルチャックで形状保持部材が片面）］
尚、上記の実施例１では、チャック付き包装袋１の前面フィルム１ａおよび後面フィルム１ｂのチャック部１ｃ，１ｄの双方の隙間１ｅ，１ｆに形状保持材１ｇ，１ｈを挿入して説明したが、本発明では、これに限らず、図１１に示す実施例２のように、前面フィルム１ａと後面フィルム１ｂのいずれか一方の隙間１ｅ，１ｆに形状保持材を挿入するようにしても良い。なお、図１１は、例えば、前面フィルム１ａ側の隙間１ｅに形状保持材１ｇを挿入した場合である。また、このように一方のフィルムの隙間に１ｆに形状保持材１ｈを挿入した場合、形状保持機能を有するのは、形状保持材を挿入した側のフィルム（図１１の場合であれば前面フィルム１ａ）であるため、形状保持材を挿入しない側のフィルム（図１１の場合であれば後面フィルム１ｂ）のチャック部には、切れ目を入れても、入れなくてもどちらでも良い。
【００３６】
また、上述したように、通常、チャック付き包装袋における嵌合不良はメス側帯状嵌合部が折れて変形することにより発生する場合が多いので、前面フィルム１ａと後面フィルム１ｂのいずれか一方の隙間１ｅ，１ｆに形状保持材を挿入する場合、メス側帯状嵌合部の数が少ない側、すなわち図１１の場合であれば、前面フィルム１ａ側の隙間１ｅに形状保持材１ｇを挿入することが望ましい。
【００３７】
［実施例３（ダブルチャックで形状保持部材が両面または片面）］
また、上記の実施例１，２では、チャック付き包装袋１の前面フィルム１ａおよび後面フィルム１ｂのチャック部１ｃ，１ｄは、それぞれ、２列のオス側帯状嵌合部１ｃ１および１列のメス側帯状嵌合部１ｃ２、２列のメス側帯状嵌合部１ｄ２および１列のオス側帯状嵌合部１ｄ１の３列の帯状嵌合部を設けて説明したが、本発明では、これに限らず、３列以外、例えば、１列でも、図１２および図１３に示すように２列でも、さらには４列以上設けるようにしても勿論良い。
【００３８】
図１２および図１３は、前面フィルム１ａ側のチャック部１ｃには、オス側帯状嵌合部１ｃ１およびメス側帯状嵌合部１ｃ２を１列ずつ設ける一方、後面フィルム１ｂ側のチャック部１ｄにも、オス側帯状嵌合部１ｄ１およびメス側帯状嵌合部１ｄ２を１列ずつ設けている。尚、図１２は、前面フィルム１ａ側の隙間１ｅおよび後面フィルム１ｂ側の隙間１ｆ双方にそれぞれ形状保持材１ｇ，１ｈを挿入した実施例３であり、図１３は、例えば、後面フィルム１ｂ側の隙間１ｆにのみ形状保持材１ｈを挿入した実施例３である。
【００３９】
［実施例４（トリプルまたはダブルチャックで形状保持部材が両面または片面）］
また、上記の実施例１〜３では、前面フィルム１ａおよび後面フィルム１ｂのチャック部１ｃ，１ｄには、それぞれ、オス側帯状嵌合部とメス側帯状嵌合部とをそれぞれ交互に設けて説明したが、本発明では、これに限らず、例えば、図１４〜図１７に示すように、オス側帯状嵌合部またはメス側帯状嵌合部のいずれか一方を複数列設けるようにしても勿論良い。
【００４０】
つまり、図１４および図１５は、前面フィルム１ａ側のチャック部１ｃにオス側帯状嵌合部１ｃ１だけ３列設ける一方、後面フィルム１ｂ側のチャック部１ｄにメス側帯状嵌合部１ｄ２だけを３列設けた実施例４であり、図１４では前面フィルム１ａ側の隙間１ｅおよび後面フィルム１ｂ側の隙間１ｆ双方にそれぞれ形状保持材１ｇ，１ｈを挿入し、図１５は、例えば、嵌合不良がメス側帯状嵌合部１ｄ２よりも発生し難いオス側帯状嵌合部１ｃ１を有するチャック部１ｃ裏側の隙間１ｅ、すなわち前面フィルム１ａ側の隙間１ｅにのみ形状保持材１ｇを挿入した実施例４である。
【００４１】
また、図１６および図１７は、前面フィルム１ａ側のチャック部１ｃにオス側帯状嵌合部１ｃ１だけ２列設ける一方、後面フィルム１ｂ側のチャック部１ｄにメス側帯状嵌合部１ｄ２だけを２列設けた実施例４であり、図１６では前面フィルム１ａ側の隙間１ｅおよび後面フィルム１ｂ側の隙間１ｆ双方にそれぞれ形状保持材１ｇ，１ｈを挿入し、図１７は、例えば、オス側帯状嵌合部１ｄ１を有するチャック部１ｄの裏側の隙間１ｆ、すなわち後面フィルム１ｂ側の隙間１ｆにのみ形状保持材１ｈを挿入した実施例４である。
【００４２】
尚、図１５および図１７に示すように、前面フィルム１ａと後面フィルム１ｂのいずれか一方に形状保持材１ｇまたは形状保持材１ｈを挿入する場合、オス側帯状嵌合部１ｃ１を有する前面フィルム１ａまたはオス側帯状嵌合部１ｄ１を有する後面フィルム１ｂ側に形状保持材１ｇまたは形状保持材１ｈを挿入した理由は、オス側帯状嵌合部１ｃ１，１ｄ１とメス側帯状嵌合部１ｃ２，１ｄ２とを急な角度で折り曲げた場合、オス側帯状嵌合部１ｃ１，１ｄ１の方がメス側帯状嵌合部１ｃ２，１ｄ２よりも変形し難く、急な角度で折り曲げた後にチャック部１ｃ，１ｄを閉めた際、オス側帯状嵌合部１ｃ１，１ｄ１の方がメス側帯状嵌合部１ｃ２，１ｄ２よりも嵌合不良等が生じ難いからである。
【００４３】
［実施例５（面ファスナー）］
また、上記の説明では、前面フィルム１ａおよび後面フィルム１ｂのチャック部１ｃ，１ｄとして、それぞれ、オス側咬合い部を有するオス側帯状嵌合部を１列または所定間隔離して複数列、またはそのオス側咬合い部に咬合い可能な一対のメス側咬合い部を有するメス側帯状嵌合部を１列または所定間隔離して複数列設けて説明したが、本発明では、これに限らず、前面フィルム１ａおよび後面フィルム１ｂのチャック部１ｃ，１ｄとして、それぞれ、例えば、フック状等のオス側係合部と、ループ状等のメス側係合部が不規則または規則的に複数設けられた面ファスナーであっても勿論良い。
【００４４】
実施例５のように前面フィルム１ａおよび後面フィルム１ｂのチャック部１ｃ，１ｄとして面ファスナーを使用した場合、オス側帯状嵌合部およびメス側帯状嵌合部のように接離するオス・メスが線状または帯状につながっていないので、折れによるダメージが少ないというメリットがあり、切れ目が不要である。
【００４５】
なお、上記の実施例１〜４の説明では、前面フィルム１ａおよび後面フィルム１ｂのチャック部１ｃ，１ｄに切れ目１ｃ３，１ｄ３を設けて説明したが、その切れ目１ｃ３，１ｄ３は、例えば、図１８（ａ）に示すように隙間無しの切れ目１ｃ３，１ｄ３でも、あるいは図１８（ｂ）に示すような隙間ありの切れ目１ｃ３’，１ｄ３’でも、さらには図１８（ｃ）に示すような三角形状等の切欠部１ｃ３”，１ｄ３”でも良い。
【００４６】
ただし、図１８（ａ）に示す隙間無しの切れ目１ｃ３，１ｄ３よりも図１８（ｂ）に示す切れ目１ｃ３’，１ｄ３’および図１８（ｃ）に示す切欠部１ｃ３”，１ｄ３”の方が、チャック部１ｃ，１ｄの長手方向に隙間が大きいので、チャック部１ｃ，１ｄを折り曲げた際の変形を極力防止できる。
【００４７】
［実施例６（形状保持部材の長手方向に１または複数個所の強度弱部分）］
また、上記実施例１〜５では、形状保持部材１ｇ，１ｈに何ら形状上の工夫を与えなかったが、実施例６では、形状保持部材１ｇ，１ｈの長手方向に、凹部（切欠部）や切れ目を設けたり、あるいは太さを細くする等して、強度が弱くなる強度弱部分１ｉを１または複数個所設けるようにしたことを特徴とする。
【００４８】
これは、チャック付き包装袋に形状保持部材１ｇ，１ｈを設けると、形状保持部材１ｇ，１ｈの形状保持機能により、チャック部１ｃ，１ｄ近傍で前面フィルム１ａや後面フィルム１ｂが曲がり難くなるからである。
【００４９】
そのため、この実施例６では、チャック付き包装袋１において袋を開ける際に、力等が大きく集中して前面フィルム１ａや後面フィルム１ｂが大きく曲がる箇所の形状保持部材１ｇ，１ｈに強度弱部分１ｉを設けたり、あるいはその大きく曲げる箇所で形状保持部材１ｇ，１ｈを曲げ易くする。
【００５０】
つまり、実施例６のチャック付き包装袋１の形状保持部材１ｇ，１ｈは、その長手方向に強度が弱くなる強度弱部分１ｉを１または複数個所設けたことを特徴とし、例えば、図１９（ａ）に示すように大きく曲がるαやβの部分に１または複数個所の強度弱部分１ｉを設けたり、図１９（ｂ）に示すように大きく曲がるαやγの部分に１または複数個所の強度弱部分１ｉを設ける。なお、形状保持部材１ｇ，１ｈにおいてαの部分には強度弱部分１ｉを設けず、βやγの部分に強度弱部分１ｉを設けても勿論良い。
【００５１】
形状保持部材１ｇ，１ｈに強度弱部分１ｉを設ける方法は、例えば、図２０（ａ）に示すように形状保持部材１ｇ，１ｈの左右一方側に半円形状の１の凹部（切欠部）を設けることにより強度弱部分１ｉを設けても良いし、図２０（ｂ）に示すように形状保持部材１ｇ，１ｈの左右一方側に複数の凹部（切欠部）を設けることにより強度弱部分１ｉを設けても良いし、さらには図２０（ｃ）に示すように形状保持部材１ｇ，１ｈの左右両側にそれぞれ１または複数の凹部（切欠部）を設けることにより強度弱部分１ｉを設けても良い。
【００５２】
また、形状保持部材１ｇ，１ｈにおいて大きく曲がるαやβ、γ部分を特定しない場合、すなわち形状保持部材１ｇ，１ｈにおける任意の部分を曲げ易くする場合には、図２０（ｄ）に示すように、例えば形状保持部材１ｇ，１ｈの左右一方側に５ｍｍや１ｃｍ程度の所定間隔で凹部（切欠部）を設けることにより所定間隔の強度弱部分１ｉを設けても良いし、図２０（ｅ）に示すように形状保持部材１ｇ，１ｈの左右両側に所定間隔で凹部（切欠部）を設けても良い。
【００５３】
図２０（ａ）〜（ｅ）に示すように形状保持部材１ｇ，１ｈに強度弱部分１ｉを設けた場合、形状保持部材１ｇ，１ｈは形状保持機能により曲がり難くても、強度弱部分１ｉにおいて曲がり易くすることができる。
【００５４】
なお、図２０（ａ）〜（ｅ）では、強度弱部分１ｉを設けるために１または複数の半円形状の凹部（切欠部）を設けて説明したが、本発明では、これに限らず、１または複数の三角形状や四角形状の凹部（切欠部）を設けたり、あるいは単に１または複数の切れ目を設けたり、さらには太さを細くしたり、あるいは形状保持材１ｇ，１ｈにおいて強度を弱くすべき部分を予め潰したり曲げる等して強度弱部分１ｉを設けても良く、要は、形状保持材１ｇ，１ｈにおいて他の部分よりも強度の弱い強度弱部分１ｉを設けることができれば良い。
【００５５】
また、上記実施例１〜６の説明では、前面フィルム１ａと後面フィルム１ｂとから構成されたチャック付き包装袋１を一例に説明したが、本発明では、この構成に限らず、サイドガゼットや底ガゼット付きのチャック付き包装袋でも良いし、前面フィルム１ａや後面フィルム１ｂ等の包装袋の材質には特にこだわらず、チャック部付きの包装袋であれば当然適用可能である。
【符号の説明】
【００５６】
１  チャック付き包装袋
１ａ  前面フィルム
１ｂ  後面フィルム
１ｃ  チャック部
１ｃ１  オス側オス側帯状嵌合部
１ｃ１１  オス側咬合い部
１ｃ２  メス側帯状嵌合部
１ｃ２１，１ｃ２２  メス側咬合い部
１ｃ３，１ｃ３’  切れ目
１ｃ３”  切欠部
１ｄ  チャック部
１ｄ１  オス側オス側帯状嵌合部
１ｄ１１  オス側咬合い部
１ｄ２  メス側帯状嵌合部
１ｄ２１，１ｄ２２  メス側咬合い部
１ｄ３，１ｄ３’  切れ目
１ｄ３”  切欠部
１ｅ，１ｆ  隙間
１ｇ，１ｈ  形状保持材
１ｉ  強度弱部分
１１  開口部
【図１】
0006445304.tif 000002
【図２】
0006445304.tif 000003
【図３】
0006445304.tif 000004
【図４】
0006445304.tif 000005
【図５】
0006445304.tif 000006
【図６】
0006445304.tif 000007
【図７】
0006445304.tif 000008
【図８】
0006445304.tif 000009
【図９】
0006445304.tif 000010
【図１０】
0006445304.tif 000011
【図１１】
0006445304.tif 000012
【図１２】
0006445304.tif 000013
【図１３】
0006445304.tif 000014
【図１４】
0006445304.tif 000015
【図１５】
0006445304.tif 000016
【図１６】
0006445304.tif 000017
【図１７】
0006445304.tif 000018
【図１８】
0006445304.tif 000019
【図１９】
0006445304.tif 000020
【図２０】
0006445304.tif 000021